(57)【要約】【課題】  複数の画面を使用した説明の効果を生かした状態で、会議資料の再生、配信が可能となる会議情報保存装置を提供する。【解決手段】  複数の画面に表示される画像情報を時系列に取り込むビデオ取り込み部２Ａ，２Ｂ，２Ｃと、取り込んだ画像情報から静止画像の画像情報を生成する画像サンプリング部３と、生成された画像情報に、該画像情報の生成時刻情報と、前記画像情報が表示された画面を識別する識別情報と、画面単位に設定される前記画像情報の識別子とを含む属性情報を付与する画像更新管理部５とを有している。【選択図】        図１
2008090526.tif 000002
【特許請求の範囲】
【請求項１】
複数の画面に表示される画像情報を取り込む取込手段と、
前記取込手段で取り込んだ画像情報から静止画像の画像情報を生成する生成手段と、
生成された画像情報に、該画像情報の生成時刻情報と、前記画像情報が表示された画面を識別する識別情報と、画面単位に設定される前記画像情報の識別子とを含む属性情報を付与する付与手段と、
を有することを特徴とする会議情報保存装置。
【請求項２】
音声を音声データとして入力する音声入力手段と、
前記音声データを、画像情報が画面に表示されている期間ごとに分割する分割手段と、
前記画像情報と、前記音声データとを関連付けて記憶する記憶手段と、
選択された画像情報を表示させる際に、該画像情報に関連付けられた音声データの再生を行う表示再生手段とを有することを特徴とする請求項１記載の会議情報保存装置。
【請求項３】
会議の終了までに取得した画像情報の縮小画像を表示した第１の表示領域と、選択された縮小画像の表示内容を前記複数の画面ごとに表示した第２の表示領域とを含む画像を表示させる表示制御手段を有することを特徴とする請求項１又は２記載の会議情報保存装置。
【請求項４】
前記第１の表示領域は、前記画像情報の縮小画像を、前記複数の画面ごとに、前記生成手段の生成順に並べて表示した領域であることを特徴とする請求項３記載の会議情報保存装置。
【請求項５】
前記第２の表示領域は、前記選択された縮小画像の縮尺を変更して、拡大表示した領域であることを特徴とする請求項３又は４記載の会議情報保存装置。
【請求項６】
前記表示制御手段は、会議の終了までの間に取得した画像情報の全体的な取得期間を示す期間表示と、該期間表示内を移動する移動表示とを前記第１の表示領域に合わせて表示し、
前記第１の表示領域に表示された縮小画像のうち、前記移動表示位置の縮小画像の縮尺を変換した画像を、前記第２の表示領域に表示させることを特徴とする請求項３記載の会議情報保存装置。
【請求項７】
前記取得手段は、取得した画像を前回の取得画像と比較し、同一の画像であると判定すると、画像の取り込みを中止することを特徴とする請求項１から６のいずれか一項記載の会議情報保存装置。
【請求項８】
前記属性情報として、各画面に表示される画像情報の内容の種別を表す情報を含み、
前記表示制御手段は、前記内容の種別を表す情報をもとに、画像情報を選択的に表示することを特徴とする請求項１から７のいずれか一項記載の会議情報保存装置。
【請求項９】
前記種別を表す情報には、主となる会議資料であるのか、該会議資料の補助資料であるのかを示す情報と、会議資料が会議の全体構成を示す資料であるのか、各論部分を示す資料であるのかを示す情報との少なくとも１つを含むことを特徴とする請求項８記載の会議情報保存装置。
【請求項１０】
複数の画面に表示される画像情報を取り込む取込手段と、前記取得手段で取り込んだ画像情報から静止画像の画像情報を生成する生成手段と、前記生成された画像情報に、該画像情報の生成時刻情報と、前記画像情報が表示された画面の識別情報と、画面単位に設定される前記画像情報の識別子とを含む属性情報を付与する付与手段と、前記画像情報と前記属性情報とを関連付けて記憶する記憶手段と、を有する会議情報保存装置と、
前記記憶手段に記憶した複数の画面の画像情報と、該画像情報に関連付けられた音声データとを取得要求のあった端末に配信する配信装置と、を有することを特徴とするシステム。
【請求項１１】
前記配信装置は、会議の終了までに取得される画像情報の縮小画像を表示した第１の表示領域と、選択された縮小画像の表示内容を前記複数の画面ごとに表示した第２の表示領域とを含む画像を前記取得要求のあった端末に配信することを特徴とする請求項１０記載のシステム。
【請求項１２】
複数の画面に表示された画像情報を静止画像として取り込み、該画像情報の生成時刻情報と、前記画像情報が表示された画面を識別する識別情報と、画面単位に設定される前記画像情報の識別子とを含む属性情報と共に記憶した記憶手段と、
情報の取得要求を受け付けると、会議の終了までに取得される画像情報の縮小画像を表示した第１の表示領域と、選択された縮小画像の表示内容を前記複数の画面ごとに表示した第２の表示領域とを含む画像を表示することを特徴とする会議情報表示装置。
【請求項１３】
コンピュータを、
複数の画面に表示される画像情報を取り込む取込手段と、
前記取込手段で取り込んだ画像情報から静止画像の画像情報を生成する生成手段と、
生成された画像情報に、該画像情報の生成時刻情報と、前記画像情報が表示された画面を識別する識別情報と、画面単位に設定される前記画像情報の識別子とを含む属性情報を付与する付与手段として機能させることを特徴とするプログラム。
【請求項１４】
コンピュータを、
会議の終了までに取得される画像情報の縮小画像を表示した第１の表示領域と、選択された縮小画像の表示内容を前記複数の画面ごとに表示した第２の表示領域とを含む画像を表示させる表示制御手段として機能させることを特徴とする請求項１３記載のプログラム。
【発明の詳細な説明】
【技術分野】
【０００１】
本発明は、会議情報保存装置、システム、会議情報表示装置及びプログラムに関する。
【背景技術】
【０００２】
コンピュータ上で、プレゼンテーション・ソフトウェアや各種のアプリケーション・ソフトウェアを使ったプレゼンテーションが現代のビジネス環境において広く行われている。また、プレゼンテーション資料の記録方法についても、さまざまな提案がなされている。たとえば、特許文献１では、プロジェクタにおいて、投射される画像データとプレゼンテーションの音声データを取得し、その画像データと音声データを関連付けて記憶しておく。そして、再生指示に対応して、記憶された画像データとそれに関連した音声データとを再生する、あるいは、利用者からの要求に基づいて記憶された画像データとそれに関連した音声データとをまとめた配信データを生成し、配信する技術を提案している。
【０００３】
ところで、最近、上述したような画像を使ったプレゼンテーションにおいて、複数の画面を使うことによって、より効果的なプレゼンテーションを行うことが試みられている。一つの画面よりも複数の画面を使うことによって、
１．時間的に連続して表示されるスライドを並べて表示し、前後のつながりをわかりやすくできる。
２．一つの画面にアウトライン、別の画面に詳細を示すことによって、全体の構成と各論の位置づけをわかりやすくできる。
３．一つの画面に主となる説明資料、他の画面に補助となる資料を表示することにより、より詳細に説明することができる。
４．連続して横長に表示することにより、より大画面で訴求力のある表示ができる。
等の効果が期待できる。
【０００４】
【特許文献１】特開２００５−２８４１９６号公報
【発明の開示】
【発明が解決しようとする課題】
【０００５】
本発明は、複数の画面を使用した説明の効果を生かした状態で、会議資料の再生、配信が可能となる会議情報保存装置、システム、会議情報表示装置及びプログラムを提供することを目的とする。
【課題を解決するための手段】
【０００６】
かかる目的を達成するために請求項１記載の会議情報保存装置の発明は、複数の画面に表示される画像情報を取り込む取込手段と、前記取込手段で取り込んだ画像情報から静止画像の画像情報を生成する生成手段と、生成された画像情報に、該画像情報の生成時刻情報と、前記画像情報が表示された画面を識別する識別情報と、画面単位に設定される前記画像情報の識別子とを含む属性情報を付与する付与手段と、を有する構成としている。
【０００７】
請求項２記載の会議情報保存装置の発明は、請求項１記載の発明において、音声を音声データとして入力する音声入力手段と、前記音声データを、画像情報が画面に表示されている期間ごとに分割する分割手段と、前記画像情報と、前記音声データとを関連付けて記憶する記憶手段と、選択された画像情報を表示させる際に、該画像情報に関連付けられた音声データの再生を行う表示再生手段とを有することを特徴としている。
【０００８】
請求項３記載の会議情報保存装置の発明は、請求項１又は２記載の発明において、会議の終了までに取得した画像情報の縮小画像を表示した第１の表示領域と、選択された縮小画像の表示内容を前記複数の画面ごとに表示した第２の表示領域とを含む画像を表示させる表示制御手段を有することを特徴としている。
【０００９】
請求項４記載の会議情報保存装置の発明は、請求項３記載の発明において、前記第１の表示領域は、前記画像情報の縮小画像を、前記複数の画面ごとに、前記生成手段の生成順に並べて表示した領域であることを特徴としている。
【００１０】
請求項５記載の会議情報保存装置の発明は、請求項３又は４記載の発明において、前記第２の表示領域は、前記選択された縮小画像の縮尺を変更して、拡大表示した領域であるとよい。
【００１１】
請求項６記載の会議情報保存装置の発明は、請求項３記載の発明において、前記表示制御手段は、会議の終了までの間に取得される画像情報の全体的な取得期間を示す期間表示と、該期間表示内を移動する移動表示とを前記第１の表示領域に合わせて表示し、前記第１の表示領域に表示された縮小画像のうち、前記移動表示位置の縮小画像の縮尺を変換した画像を、前記第２の表示領域に表示させることを特徴としている。
【００１２】
請求項７記載の会議情報保存装置の発明は、請求項１から６のいずれか一項記載の発明において、前記取得手段は、取得した画像を前回の取得画像と比較し、同一の画像であると判定すると、画像の取り込みを中止することを特徴としている。
【００１３】
請求項８記載の会議情報保存装置の発明は、請求項１から７のいずれか一項記載の発明において、前記属性情報として、各画面に表示される画像情報の内容の種別を表す情報を含み、前記表示制御手段は、前記内容の種別を表す情報をもとに、画像情報を選択的に表示することを特徴としている。
【００１４】
請求項９記載の会議情報保存装置の発明は、請求項８記載の発明において、前記種別を表す情報には、主となる会議資料であるのか、該会議資料の補助資料であるのかを示す情報と、会議資料が会議の全体構成を示す資料であるのか、各論部分を示す資料であるのかを示す情報との少なくとも１つを含むことを特徴としている。
【００１５】
請求項１０記載のシステムの発明は、複数の画面に表示される画像情報を取り込む取込手段と、前記取得手段で取り込んだ画像情報から静止画像の画像情報を生成する生成手段と、前記生成された画像情報に、該画像情報の生成時刻情報と、前記画像情報が表示された画面の識別情報と、画面単位に設定される前記画像情報の識別子とを含む属性情報を付与する付与手段と、前記画像情報と前記属性情報とを関連付けて記憶する記憶手段と、を有する会議情報保存装置と、前記記憶手段に記憶した複数の画面の画像情報と、該画像情報に関連付けられた音声データとを取得要求のあった端末に配信する配信装置と、を有する構成を備えている。
【００１６】
請求項１１記載のシステムの発明は、請求項１０記載の発明において、前記配信装置は、会議の終了までに取得される画像情報の縮小画像を表示した第１の表示領域と、選択された縮小画像の表示内容を前記複数の画面ごとに表示した第２の表示領域とを含む画像を前記取得要求のあった端末に配信することを特徴としている。
【００１７】
請求項１２記載の会議情報表示装置の発明は、複数の画面に表示された画像情報を静止画像として取り込み、該画像情報の生成時刻情報と、前記画像情報が表示された画面を識別する識別情報と、画面単位に設定される前記画像情報の識別子とを含む属性情報と共に記憶した記憶手段と、情報の取得要求を受け付けると、会議の終了までに取得される画像情報の縮小画像を表示した第１の表示領域と、選択された縮小画像の表示内容を前記複数の画面ごとに表示した第２の表示領域とを含む画像を表示することを特徴としている。
【００１８】
請求項１３記載のプログラムの発明は、コンピュータを、複数の画面に表示される画像情報を時系列に取り込む取込手段と、前記取込手段で取り込んだ画像情報から静止画像の画像情報を生成する生成手段と、生成された画像情報に、該画像情報の生成時刻情報と、前記画像情報が表示された画面を識別する識別情報と、画面単位に設定される前記画像情報の識別子とを含む属性情報を付与する付与手段として機能させることを特徴としている。
【００１９】
請求項１４記載のプログラムの発明は、請求項１３記載の発明において、コンピュータを、会議の終了までに取得される画像情報の縮小画像を表示した第１の表示領域と、選択された縮小画像の表示内容を前記複数の画面ごとに表示した第２の表示領域とを含む画像を表示させる表示制御手段として機能させることを特徴としている。
【発明の効果】
【００２０】
請求項１記載の発明によれば、複数の画面に表示された画像情報を時系列に取り込むことができ、複数の画面を使用した説明の効果を生かした状態で、会議資料の再生、配信が可能となる。
【００２１】
請求項２記載の発明によれば、画像と、この画像が表示されている期間に入力した音声とを関連付けて記憶し、画像の再生のときに関連付けられた音声データも同時に再生することができる。従って、会議の内容理解が容易となる。
【００２２】
請求項３記載の発明によれば、縮小画像で選択した画像情報の表示内容を第２の表示領域で確認することができるので、所望の画像情報の検出が簡単になる。
【００２３】
請求項４記載の発明によれば、縮小画像が会議の流れに沿って複数の画面ごとに表示されているので、所望の画像情報がさらに見つけやすくなる。
【００２４】
請求項５記載の発明によれば、選択した縮小画像の表す内容の確認が容易になる。
【００２５】
請求項６記載の発明によれば、期間表示内に表示された移動表示を移動させることで、第２の表示領域に表示させる画像を簡単に選択することができる。
【００２６】
請求項７記載の発明によれば、画面に表示した画像に変化が生じた時に画像を取得することができる。
【００２７】
請求項８記載の発明によれば、画像情報の表示内容の種別に応じて、表示する画像情報を選択することができる。
【００２８】
請求項９記載の発明によれば、主となる会議資料とその補助資料、又は全体構成を示す資料と各論部分を示す資料とを区別して表示することができる。
【００２９】
請求項１０記載の発明によれば、複数の画面に表示された画像情報を時系列に取り込むことができ、複数の画面を使用した説明の効果を生かした状態で、会議資料を要求のあった端末に配信することができる。
【００３０】
請求項１１記載の発明によれば、縮小画像で選択した画像情報の表示内容を第２の表示領域で確認することができるので、所望の画像情報の検出が簡単になる。
【００３１】
請求項１２記載の発明によれば、時系列に取り込まれた複数画面の画像を選択するときに、所望の画像を容易に選択することができる。
【００３２】
請求項１３記載の発明によれば、複数の画面に表示された画像情報を時系列に取り込むことができ、複数の画面を使用した説明の効果を生かした状態で、会議資料の再生、配信が可能となる。
【００３３】
請求項１４記載の発明によれば、縮小画像で選択した画像情報の表示内容を第２の表示領域で確認することができるので、所望の画像情報の検出が簡単になる。
【発明を実施するための最良の形態】
【００３４】
添付図面を参照しながら本発明の好適な実施例を説明する。
【実施例１】
【００３５】
本実施例は、複数の画面に表示された画像や、表示された画像に対する発言者の音声を取り込んで、実際に行われたプレゼンテーションの効果を維持しながら、資料を表示、再生するものである。図１に、複数の画面Ａ，Ｂ，Ｃを用いたプレゼンテーション資料の取得、保存、表示、配信を実現した会議情報保存装置１の構成図を示す。
【００３６】
会議情報保存装置１は、各ビデオカード２１Ａ，２１Ｂ，２１Ｃから画面に出力されるビデオ信号を取り込むビデオ取り込み部２Ａ，２Ｂ，２Ｃと、ビデオ信号から画像用のビットマップを生成する画像サンプリング部（生成手段）３と、画像のサイズを変換する画像コンバータ４と、画像に属性情報を付加する画像更新管理部５（付与手段）と、画像データからテキストを抽出するテキスト抽出部６と、マイク１１から入力した音声を音声データとして取り込む音声入力部７と、画像データや音声データを保存するデータベース８とがシステムバス１２上に接続されている。また、システムバス１２上には、ネットワークとのインターフェースとなる入出力部９、プレゼンテーション資料を配信する配信サーバ１０も接続されている。
【００３７】
プレゼンテーションの資料を表示する画面にはＡ、Ｂ、Ｃの３つの画面が用意されている。プレゼンテーション用コンピュータ（以下、プレゼンテーション用ＰＣと略記する）２０において、複数の画面に表示される画像がそれぞれ生成され、ビデオカード２１Ａ，２１Ｂ，２１Ｃを通して、３台の大型画面Ａ，Ｂ，Ｃに表示される。
なお、プレゼンテーション用ＰＣ２０で生成した資料をビデオカード２１Ａ，２１Ｂ，２１Ｃで画面Ａ，Ｂ，Ｃに表示する以外に、プロジェクタを使ってディスプイレに投射するといった形態をとることもできる。
【００３８】
ビデオカード２１Ａ，２１Ｂ，２１Ｃから画面Ａ，Ｂ，Ｃに送られる画像信号は、ビデオ取り込み部２Ａ，２Ｂ，２Ｃ（取込手段）に入力され、ビデオ信号として取り込まれる。ビデオ取り込み部２Ａ，２Ｂ，２Ｃで取り込まれたビデオ信号は、画像サンプリング部３に送られる。画像サンプリング部３は、各ビデオ取り込み部２Ａ，２Ｂ，２Ｃで取り込んだビデオ信号を順に走査し、ビデオ信号から画像用のビットマップを生成する。本実施例においては、ある瞬間にサンプリングされた静止画像と、その前にサンプリングされた静止画像とが同一であるか、これらの静止画像の差分がある割合以下である場合に、表示された画像は変化していないと判定し、サンプリングを中止する。この処理により、画面に表示された画像に変化が生じたときに、画像を保存して記録することができる。例えば、画像中に表示されるポインタの位置のみが異なる画像の場合などでは、こうした処理により画像に変化がないと判断され、新たにサンプリングしない、ということが可能となる。
【００３９】
図２には、上述した３画面Ａ，Ｂ，Ｃに表示されるプレゼンテーション用の画像を、時間の流れに沿って時系列で表示した例を示す。時刻ｔ０においては、中央の画面Ｂに1枚目の画像が表示され、左の画面Ａおよび右の画面Ｃには何も表示されていない。サンプリング時刻ｔ１においては、３画面が一斉に変化しており、画面Ａに１枚目の画像、画面Ｂに２枚目の画像、画面Ｃに１枚目の画像が表示されている。その後サンプリング時刻ｔ２においては、中央の画面Ｂのみが変化しており３枚目の画像が表示されている様子、続いて、サンプリング時刻ｔ３においては、左の画面Ａのみが変化しており、２枚目の画像が表示される様子が示されている。
【００４０】
プレゼンテーション実行者によって、上述のように画像が切り替えられると、ビデオ取り込み部２Ａ，２Ｂ，２Ｃを通して画像サンプリング部３で画面Ａ，Ｂ，Ｃに表示されている画像信号を取り込み、それぞれの画面に表示される画像に変化があった場合にサンプリングしてビットマップを生成する。従って、図２で示したような画像の切り替えに対しては、図３で示したような画像列が取られることになる。なお、この例では、画面Ａの画像信号、画面Ｂの画像信号、画面Ｃの画像信号の順にサンプリングを行っているが、サンプリングの順番は特に限定しない。また、属性情報を表す（Ｂ，１，ｔ０）というのは、時刻ｔ０において画面Ｂに表示されている１枚目の画像、同様に（Ａ，１，ｔ１）は、時刻ｔ１において画面Ａに表示されている１枚目の画像、（Ｃ，１，ｔ１）は、時刻ｔ１において画面Ｃに表示されている１枚目の画像である。こうしてサンプリングされた画像は、画像コンバータ４に送られ、画像をサイズ的に効率のよいフォーマットに変更し、データベース８に保存される。画像コンバータ４は、画像サンプリング部３で取得した画像のサムネイル画像（縮小画像）を生成する。生成したサムネイル画像は、画像更新管理部５に送られ、画像更新管理部５の制御によってデータベース８に保存される 。
【００４１】
画像更新管理部５は、サンプリングされた画像に属性情報を付加して、データベース８に保存する。図４に、データベース８に登録される属性情報の一例を示す。属性情報としては、画像を表示した画面を識別する画面識別情報（ビデオ信号を取り込んだビデオカード２１Ａ，２１Ｂ，２１Ｃを識別する情報や、ビデオ信号自体を識別する情報であってもよい）、同一画面に表示された画像列のうち、何枚目の画像であるのかを示す画像識別情報、画像の取得時間情報（画像が画面に表示された時刻）、音声データの識別情報、サムネイル画像の識別情報、画像内に含まれているテキスト情報などを付加することができる。画像内のテキスト情報は、テキスト抽出部６で検出されるものであり、ＯＣＲ技術を用いて実現される。また、音声データの識別情報、サムネイル画像の識別情報は、画像に関連付けられた音声データ、サムネイル画像を識別する識別情報である。
この他に、画面ごとに、画面に表示された画像の表示内容を属性情報としてデータベース８に保存しておくこともできる。例えば、画面Ｂに表示された画像が主となる会議資料であり、画面Ａ，Ｃに表示された画像がこの会議資料の補助資料であった場合には、画面Ａの表示画像が補助資料、画面Ｂの表示画像が主資料、画面Ｃの表示画像が補助資料であること示す情報を記録する。この他に、会議資料が会議の全体構成を示す資料であるのか、各論部分を示す資料であるのかを示す情報などを属性情報として記録しておくこともできる。このように画面ごとに、画像の内容を属性情報として保存しておくことにより、後で再生する時に画像の選択を簡単に行うことができる。例えば、主となる会議資料だけを取り出して表示したり、各論部分の資料だけを取り出して表示することも可能となる。
【００４２】
本実施例は、さらにプレゼンテーションの際の音声を同時に取り込み、その音声が発声されたときに表示されていた画像と関連付けて保存するようになっている。音声はマイク１１で入力して音声入力部７で取り込むようになっているが、ある画像が表示されたときの音声データはその画像データに関連付けて保存される。つまり、図３に示すような画像の系列が保存されるとき、画像の切り替わりのタイミングに合わせて、音声データが区切られ、画像に関連付けて保存される。
【００４３】
図５を参照しながら画像と音声の関連付けについて説明する。時刻ｔ０において、画像が表示されたときに音声の録音を開始し、時刻ｔ１において画像が切り替えられたと判定されたときまでに発生された音声は、時刻ｔ０から時刻ｔ１までの音声信号として取り込まれ、音声ファイルＶ（ｔ０，ｔ１）としてまとめられる。そして、時刻ｔ０に表示された画像（Ｂ，１，ｔ０）と関連付けられる。
同様に、時刻ｔ１において、画像が切り替えられたと判定されたとき、次の期間の音声の取り込みを開始し、次に画像が切り替えられたと判定される時刻ｔ２までの音声が取り込まれ、音声ファイルＶ（ｔ１，ｔ２）としてまとめられ、時刻ｔ１から時刻ｔ２の期間に表示された画像（Ａ，１，ｔ１），（Ｂ，２，ｔ１），（Ｃ，１，ｔ１）と関連付けてデータベース８に保存される。このように画像が変化した際にその画像を取り込み、次に画像が変化して新しい画像が取り込まれるまでの期間の音声をその画像に関連付けてデータベース８に保存する。
【００４４】
図６に示すフローチャートを参照しながら複数画面に表示された画像データと、音声データとを取得して、データベース８に保存する処理手順を説明する。
画面Ａ，Ｂ，Ｃへの画像の表示が開始されると（ステップＳ１）、ビデオ取り込み部２Ａ，２Ｂ，２Ｃは、対応するビデオカード２１Ａ，２１Ｂ，２１Ｃからビデオ信号を取り込んで、システムバス１２上の画像サンプリング部３に出力する。画像サンプリング部３は、各ビデオ取り込み部２Ａ，２Ｂ，２Ｃから送られたビデオ信号を順に走査し、ビデオ信号から画像用のビットマップを生成する。また、マイク１１で発言者の音声を入力する（ステップＳ２）。
画像サンプリング部３は、所定周期で画像のサンプリングを行っており、前回のサンプリングから所定時間を経過すると（ステップＳ３／ＹＥＳ）、次の画像のサンプリングを行う。画像サンプリング部３は、ビデオ取り込み部２Ａ，２Ｂ，２Ｃからビデオ信号の入力がある場合には（ステップＳ４／ＹＥＳ）、ビデオ信号のサンプリングを行って静止画像を取り込む（ステップＳ６）。また、画像サンプリング部３は、今回取り込んだ静止画像と前回サンプリングした静止画像の差分を求める。今回の静止画像と前回のサンプリング画像との差分が所定割合以下であった場合には、画像サンプリング部３は、画像に変化がないと判定し（ステップＳ７／ＮＯ）、静止画像の取り込みを中止する。また、今回の静止画像と前回のサンプリング画像との差分が所定割合以下ではなかった場合には、画像サンプリング部３は、画像に変化ありと判定し（ステップＳ７／ＹＥＳ）、今回の静止画像を取り込む。音声入力部７は、マイク１１から入力している音声データを静止画像の取り込みタイミングに合わせて区切る。画像コンバータ４は、取り込んだ画像のサイズを縮小してサムネイル画像を生成する。また、画像更新管理部５は、前回取得した静止画像の属性情報を生成し、この属性情報に、前回取得した画像とそのサムネイル画像と区切った音声データとを関連付けてデータベース８に格納する（ステップＳ９）。
【００４５】
また、ステップＳ４において、ビデオ信号の入力がなかった場合には（ステップＳ４／ＮＯ）、画像の取り込みを終了する（ステップＳ５）。
【００４６】
次に、データベース８にプレゼンテーション単位で記録された画像と音声をネットワーク接続されたクライアント端末３０に配信する構成について説明する。
会議情報保存装置１は、図７に示すようにネットワーク上に接続されたクライアント端末３０にプレゼンテーション資料（画像データと音声データ）を配信可能に構成されている。プレゼンテーション資料の配信は、配信装置１０によって行われる。
【００４７】
図８に配信装置１０の構成を示す。配信装置１０は、ソフトウェア制御によってデータの配信を行うように構成されており、ＲＯＭ３２に格納したプログラムをＣＰＵ３１が読み込んで、このプログラムに従った演算をＣＰＵ３１で行うことにより、各装置の機能が実現される。また、ＣＰＵ３１による演算の手順については、後述する。また、ＲＡＭ３３には、演算結果のデータが書き込まれ、ＮＶＲＡＭ（Non Volatile RAM）３４には、電源オフ時に、バックアップの必要なデータが保存される。
なお、ＲＯＭ３２に格納されているプログラムは、ＣＤ−ＲＯＭ等の記録媒体に格納されたものを読み込んでＮＶＲＡＭ３４に格納してもよいし、ネットワークを介して送信されたプログラムを入出力部９で受信してＮＶＲＡＭ３４に格納してもよい 。
【００４８】
配信装置１０は、クライアント端末３０と接続し、このクライアント端末３０のユーザによって選択されたプレゼンテーション資料をダウンロードする。配信装置１０は、クライアント端末３０に、プレゼンテーションの行われた日時、プレゼンテーション資料中に含まれるキーワードなどを入力させる画面を表示させる。これらの日時やキーワードを手がかりにして、配信装置１０はデータベース８を検索し、大量に保存されたプレゼンテーション資料の中から、候補の資料を探し、選択する。
【００４９】
図９に、ＣＰＵ３１の制御によって実現されるソフトウェア機能ブロックの構成を示す。ＣＰＵ３１がＲＯＭ３２に格納されたプログラムに従った処理を実行することにより、図９に示す通信制御モジュール４１、表示制御モジュール４２、設定管理モジュール４３、プレゼン資料検索モジュール４４、プレゼン資料配信モジュール４５が構成される。
【００５０】
通信制御モジュール４１は、ネットワークに接続したクライアント端末３０との通信を制御する機能を有している。入出力部９に備えられた物理的な通信装置を制御して、クライアント端末３０との通信を実現する。
表示制御モジュール４２は、クライアント端末３０に表示する画面表示を制御する機能を有している。設定管理モジュール４３は、ユーザによって入力された設定を通信制御モジュール４１を介して取得し、表示制御モジュール４２やプレゼン資料検索モジュール４４に通知する。表示制御モジュール４２は、設定管理モジュール４３から通知された設定で、クライアント端末３０に表示する画面表示を切り替える。また、プレゼン資料検索モジュール４４は、設定管理モジュール４３から通知された設定で、データベース８を検索する。
プレゼン資料配信モジュール４５は、プレゼン資料検索モジュール４４がデータベース８から取得した画像データや音声データを、要求のあったクラアント端末３０に配信する。
【００５１】
次に、配信装置１０の制御によって、クライアント端末３０に表示される表示画面の例を説明する。
配信装置１０は、接続したクライアント端末３０に、まず、図１０に示す表示を表示させる。図１０に示す表示例では、プレゼンテーション資料を取得した日付と、プレゼンテーションで記録した画像の番号とが表示されている。
この表示画面からユーザが日時を指定すると、データベース８中に記録されたプレゼンテーション資料（画像と音声のデータ）から、取得時間情報がその日時前後であるプレゼンテーション資料を検索し、図１１のように画面の一覧をサムネイルの形で表示する。
また、図１０に示す表示画面には、キーワードの入力欄も設けられており、この欄にキーワードを入力すると、キーワードを含む画面の一覧を同様にサムネイルの形で表示する。
【００５２】
ユーザがサムネイルで表示された候補の画像の中から、所望のサムネイルを選択し、マウスをクリックするというような操作でその画面を指示すると、新規のユーザインターフェイスにより、複数画面を使ったプレゼンテーションを効果的に再生し、ユーザが希望するシーンを再生する。
【００５３】
図１２はその第１の例で、画面上部に表示されているのは、時間の経過とともに切り替えられた画面Ａ，Ｂ，Ｃそれぞれの様子を示すサムネイル画像を表示した第１の表示領域５０を表している。これらのサムネイル画像の列は、画面が切り替えられた時間間隔とは関係なく、切り替えられた画面の組み合わせの順に等間隔に並べられている。このサムネイル画像として利用される小さな画像は、画像サンプリング部３でサンプリングして取得した画面を画像コンバータ４でサイズ変換して生成する。
【００５４】
図１２は、図２のようなシーケンスで切り替えられながら画像が表示されたときに、それらが記録・保存され、ユーザからの閲覧の要求があったときにどのようにクライアント端末３０の画面上で表示されるのかを示したものである。この例では、ユーザが所望する画像として、Ｂ３の画像を選択した場合の例である。Ｂ３の画像がハイライトされるとともに、タイムスライダ５１上のマーカ５２が、Ｂ３の画像に切り替えられた時刻に対応する場所に移動する。さらにこのユーザインターフェイスでは、下部に３面Ａ，Ｂ，Ｃに対応した画面が表示される第２の表示領域５５が設けられており、タイムスライダ５３上のマーカ５２の位置に相当する時刻に３面Ａ，Ｂ，Ｃを使って表示されたプレゼンテーション画像を再現して見ることができるようになっている。
【００５５】
このユーザインターフェイスでは、ユーザがマーカ５２をマウスなどのポインティングデバイスを使って選択し、水平方向に移動させることによって、時間軸に沿って、表示された画像を送ることができる。例えば、図１２の状態から、マーカ５２を右方向に動かし、図１３に示すような状態になったときは、左の画面Ａに４枚目の画像、中央の画面Ｂに５枚目の画像、右の画面Ｃに３枚目の画像が表示されていた状態に対応し、下部の３画面には、Ａ４，Ｂ５，Ｃ３の画像が実際に表示された状態と同じ形で並べて表示される。ここで、中央の画面Ｂに注目したい場合は、ポインタ５６を図１４で示すように、中央の画面Ｂに移動させると、図１５のように画面Ｂの領域が拡大される。この状態で、今度は左側の画面Ａに注目したいときには、図１６のようにポインタ５６を小さく表示された画面Ａに移動させると、今度は図１６で示したように、左側の画面Ａが大きく表示され、興味のある箇所が見やすくなる。このようにＡ，Ｂ，Ｃのいずれかの画面にポインタを動かすと、その画面が大きく拡大され、細部を見ることができる。ポインタ５６を、図１７に示すように、Ａ，Ｂ，Ｃ以外の領域に移動すると、Ａ，Ｂ，Ｃの画面は同一の大きさで表示される。
【００５６】
さらに、例えば中央の画面Ｂ上にポインタを合わせて、ダブル・クリックすると図１８に示すようなユーザインターフェイスを持った拡大画面が表示される。この表示画面では、画像が表示された時間に記録された音声が、再生、停止、早送り、巻き戻しの制御ボタン５３によってコントロールできるようになっている。再生ボタンが押されて再生が始まった後は、図１９で示すように、その再生ボタンは一時停止ボタンに変更され、そのボタンを押すことにより、任意の場所で一時停止できる。一時停止後は、そのボタンは図１８のように再生ボタンに変更され、そのボタンを押すことにより、一時停止された場所からの再生の再開が可能である。また、再生音声の音量も音量調整スライダ５４によって調整できるようになっている。さらに、この拡大画面の上部に表示されるメニューバーには、画面全体を表示領域とする全画面表示モードに変更するメニューも用意されており、それを選択すると、この例ではＢ５の画面が全体を使って表示されることになる。これは、小さなフォントを使って行われたプレゼンテーション資料を見る場合、特に有効である。この全画面表示のモードからは、エスケープキーあるいは、マウスの右クリックといった方法で抜けることができ、図１７のような表示モードに戻すことができる。
【００５７】
次に、図２０に示すフローチャートを参照しながら配信装置１０の処理手順を説明する。
プレゼンテーション資料の取得要求をクライアント端末３０より受け付けると、表示制御モジュール４２の制御によってクライアント端末３０の画面に図１０に示す日時選択画面を表示させる（ステップＳ１１）。クライアント端末３０のユーザによって日付や、画像番号が選択されると（ステップＳ１２／ＹＥＳ）、プレゼン資料検索モジュール４４は、選択された日付や画像識別情報を含むプレゼンテーション資料と、その前後に登録したプレゼンテーション資料とをデータベース８から取り出し、これらのサムネイル画像をクライアント端末３０に表示させる（ステップＳ１３）。その後、クライアント端末３０のポインティングデバイスの操作に応じて、表示制御モジュール４２は、クライアント端末３０に表示する表示画面を切り替える（ステップＳ１４）。クライアント端末３０のユーザによって画像が選択されると（ステップＳ１５／ＹＥＳ）、プレゼン資料配信モジュール４５の制御によって、選択された画像とこれに関連付けられた音声とがクライアント端末３０に配信される（ステップＳ１６）。
【実施例２】
【００５８】
上述した実施例１では、複数の画面Ａ，Ｂ，Ｃに表示された画像を、表示された時間に関係なく、等間隔で順に並べて表示しているが、図２１に示す本実施例では、実際のプレゼンテーションでの画像の表示時間に合わせてサムネイル画像を表示している。このため、例えば、Ｂ２の画像は短時間で切り替わっているので、重なっており、Ｂ２のサムネイル画像を完全に表示させることができない。
【００５９】
この例でも上述した実施例１と同様に、マーカ５２をポインティングデバイスで選択して、横方向に動かすことにより、時間軸に沿って、表示画像の列を切り替えている。図２２は、その様子を示したもので、マーカ５２を右に動かして、左に画面Ａの４枚目のスライドであるＡ４、中央に画面Ｂの５枚目のスライドであるＢ５、右に画面Ｃの３枚目のスライドであるＣ３の各スライドが表示される様子を示している。
【実施例３】
【００６０】
変形例として、図２３のように、サムネイルを表示せずに、複数の画面Ａ，Ｂ，Ｃの画像だけを表示してもよい。また、このとき、タイムスライダ５１を垂直に配置してもよい。このとき、図１２から図１７で示したように、ポインタ５６を画面上に移動させることによって、その画面を拡大表示する。また、図１８、図１９で示したように、画像をクリックすることにより、さらに拡大表示するような機能を組み合わせてユーザインターフェースを構成している。
【実施例４】
【００６１】
本実施例では、ビデオ取り込み部を画面数に応じて複数設けるのではなく、図２４に示すように１つのビデオ取り込み部２を設けて、複数の画面のそれぞれに対応する複数チャンネルのビデオ信号を入力するように構成する。ビデオ取り込み部２は、各チャンネルを順次走査しながら、各チャンネルを識別するチャンネル識別信号とそのチャンネルのビデオ信号を出力する。
また、図２５に示すようにプレゼンテーションの画面それぞれにプレゼンテーション用のＰＣが接続される構成でもかまわない。
【００６２】
上述した実施例は本発明の好適な実施例である。但し、これに限定されるものではなく、本発明の要旨を逸脱しない範囲内において種々変形実施可能である。例えば、図１に示す実施例１では、画像サンプリング部３、画像コンバータ４、画像更新管理部５、テキスト抽出部６、音声入力部７をそれぞれハードウェアで構成していたが、これらの装置を図８に示す配信装置１０のようにＣＰＵ３１，ＲＯＭ３２，ＲＡＭ３３，ＮＶＲＡＭ３４，Ｉ／Ｏポート３５等から構成し、ＣＰＵ３１によるソフトウェア制御によって実現することもできる。
【００６３】
また、図４に示す画像データ、そのサムネイル画像、音声データを保存したデータベース８と配信装置１０とから会議情報表示装置４０を構成し（図２６参照）、ネットワーク上に配置されたクライアント端末３０にプレンゼンテーション資料を配信する構成であってもよい。
さらに、図２７に示すように配信装置１０をネットワーク上に別途配置し、このネットワーク上の配信装置１０によってプレンゼンテーション資料をクライアント端末３０に配布する構成であってもよい。
【００６４】
また、上述した実施例では、第１の表示領域５０にサムネイル画像を複数の画面Ａ，Ｂ，Ｃごとに、画像の生成順に並べているが、サムネイル画像は、画像の生成順でなくてもよく、また複数の画面のうちの代表画面だけを表示してもよい。
また、第２の表示領域５５には、３面Ａ，Ｂ，Ｃを使って表示されたプレゼンテーション画像を表示しているが、プレゼンテーション画像の表示内容を表す表示であればよい。
【図面の簡単な説明】
【００６５】
【図１】会議情報保存装置の構成を示すブロック図である。
【図２】３画面Ａ，Ｂ，Ｃに表示される画像を、時間の流れに沿って時系列で表示した例である。
【図３】画像サンプリング部でサンプリングされる画像列を示す図である。
【図４】データベースに保存される属性データの構成を示す図である。
【図５】画像サンプリング部でサンプリングされる画像列と、音声入力部で入力される音声データとの関連付けを説明するための図である。
【図６】画像データと音声データの取得時の手順を示すフローチャートである。
【図７】ネットワークに接続されたプレゼンテーション資料再生支援装置とクライアント端末とを示す図である。
【図８】配信装置の構成を示すブロック図である。
【図９】ソフトウェア制御によって実現されるソフトウェア機能ブロック図である。
【図１０】日付選択画面の一例を示す図である。
【図１１】サムネイル画像の一例を示す図である。
【図１２】所望の画像を選択するための表示画面の一例を示す図である。
【図１３】所望の画像を選択するための表示画面の一例であり、マーカを移動させることによって、プレゼンテーション画像の表示を切り替える方法を説明する図である。
【図１４】所望の画像を選択するための表示画面の一例であり、ポインタの使用方法を説明するための図である。
【図１５】所望の画像を選択するための表示画面の一例であり、ポインタによってプレゼンテーション画像を拡大表示する方法を説明するための図である。
【図１６】所望の画像を選択するための表示画面の一例であり、拡大表示したプレゼンテーション画像を通常のサイズに戻す方法を説明するための図である。
【図１７】所望の画像を選択するための表示画面の一例であり、拡大表示したプレゼンテーション画像を通常のサイズに戻す方法を説明するための図である。
【図１８】所望の画像を選択するための表示画面の一例であり、プレゼンテーション画像の表示方法の一例を示す図である。
【図１９】所望の画像を選択するための表示画面の一例であり、プレゼンテーション画像の表示方法の一例を示す図である。
【図２０】配信装置の処理手順を示すフローチャートである。
【図２１】所望の画像を選択するための表示画面の他の例を示す図である。
【図２２】所望の画像を選択するための表示画面の他の例を示す図である。
【図２３】所望の画像を選択するための表示画面の他の例を示す図である。
【図２４】会議情報保存装置の他の構成を示す図である。
【図２５】会議情報保存装置の他の構成を示す図である。
【図２６】データベースと配信装置とからなる会議情報保存装置の構成を示す図である。
【図２７】配信装置をネットワーク上に配置し、このネットワーク上の配信装置によってプレンゼンテーション資料を配布する構成を示す図である。
【符号の説明】
【００６６】
Ａ，Ｂ，Ｃ  画面
１  会議資料保存装置
２Ａ，２Ｂ，２Ｃ  ビデオ取り込み部
３  画像サンプリング部
４  画像コンバータ
５  画像更新管理部
６  テキスト抽出部
７  音声入力部
８  データベース
９  入出力部
１０  配信装置
１１  マイク
１２  システムバス
２０  プレゼンテーション用ＰＣ
２１Ａ，２１Ｂ，２１Ｃ  ビデオカード
３０  クライアント端末
【図１】
2008090526.tif 000003
【図２】
2008090526.tif 000004
【図３】
2008090526.tif 000005
【図４】
2008090526.tif 000006
【図５】
2008090526.tif 000007
【図６】
2008090526.tif 000008
【図７】
2008090526.tif 000009
【図８】
2008090526.tif 000010
【図９】
2008090526.tif 000011
【図１０】
2008090526.tif 000012
【図１１】
2008090526.tif 000013
【図１２】
2008090526.tif 000014
【図１３】
2008090526.tif 000015
【図１４】
2008090526.tif 000016
【図１５】
2008090526.tif 000017
【図１６】
2008090526.tif 000018
【図１７】
2008090526.tif 000019
【図１８】
2008090526.tif 000020
【図１９】
2008090526.tif 000021
【図２０】
2008090526.tif 000022
【図２１】
2008090526.tif 000023
【図２２】
2008090526.tif 000024
【図２３】
2008090526.tif 000025
【図２４】
2008090526.tif 000026
【図２５】
2008090526.tif 000027
【図２６】
2008090526.tif 000028
【図２７】
2008090526.tif 000029